(57)【要約】【課題】付加価値の高い照明装置を提供する。【解決手段】実施形態に係る照明装置は、プロジェクタと、筐体と、本体部と、発光部とを具備する。プロジェクタは、映像を投映する。筐体は、プロジェクタを収容する。本体部は、筐体が取り付けられる取付面と対向する対向面を有する。発光部は、本体部の外縁部側に設けられ、筐体および取付面と離間して配置される。【選択図】図５
2020057576.tif 000002
【特許請求の範囲】
【請求項１】
映像を投映するプロジェクタと；
前記プロジェクタを収容する筐体と；
前記筐体が取り付けられる取付面と対向する対向面を有する本体部と；
前記本体部の外縁部側に設けられ、前記筐体および前記取付面と離間して配置される発光部と；
を具備する照明装置。
【請求項２】
前記筐体は、前記本体部に接続される前面部の外縁の直径が、前記対向面と前記取付面との間に位置する側面部の前記取付面と交差する方向の長さよりも小さい
請求項１に記載の照明装置。
【請求項３】
前記発光部は、前記本体部の前記対向面側に設けられ、前記対向面と前記取付面との間を照明する間接光源を含み、
前記筐体は、
前記対向面と前記取付面との間に位置する側面部の少なくとも一部に形成され、前記間接光源から離間するにつれて側面視で外側に傾斜するテーパ部；
を具備する請求項１または２に記載の照明装置。
【請求項４】
前記発光部は、前記本体部の前記対向面側に設けられ、前記対向面と前記取付面との間を照明する間接光源を含み、
前記筐体は、
前記対向面と前記取付面との間に位置する側面部の少なくとも一部に形成され、前記間接光源から離間するにつれて側面視で内側に傾斜する逆テーパ部；
を具備する請求項１または２に記載の照明装置。
【請求項５】
前記間接光源は、
発光面が前記本体部の外縁側から中心側へ向くようにして設けられる
請求項３または４に記載の照明装置。
【請求項６】
前記間接光源は、
発光面が前記本体部の前記対向面側から前記取付面側へ向くようにして設けられる
請求項３または４に記載の照明装置。
【請求項７】
前記間接光源が設けられる前記本体部より側面視で外側に配置され、前記間接光源からの光を透光する透光部；
を具備する請求項３〜６のいずれか１つに記載の照明装置。
【請求項８】
前記プロジェクタを映像の出力側から覆うように設けられ、映像が投影されるカバー部；
を具備し、
前記透光部は、
前記カバー部の外縁側に配置される
請求項７に記載の照明装置。
【請求項９】
前記透光部は、
前記カバー部から前記取付面へ向けて延在するように形成される
請求項８に記載の照明装置。
【請求項１０】
前記透光部は、
前記カバー部から前記取付面へ向けて延在しつつ側面視で外側に傾斜するように形成される
請求項８または９に記載の照明装置。
【請求項１１】
前記透光部は、
側面視で外側に突出するように湾曲して形成される
請求項７〜１０のいずれか１つに記載の照明装置。
【発明の詳細な説明】
【技術分野】
【０００１】
本発明の実施形態は、照明装置に関する。
【背景技術】
【０００２】
従来、照明器具において、器具の外周方向へ間接光を発光させることで、演出効果や装飾性を向上させる技術が知られている。
【先行技術文献】
【特許文献】
【０００３】
【特許文献１】特開２０１３−２１９０４９号公報
【発明の概要】
【発明が解決しようとする課題】
【０００４】
しかしながら、従来技術にあっては、例えば、間接光が照明装置の背面側に届きにくい、詳しくは、照明装置と照明装置が取り付けられる取付面との間の空間に届きにくく、結果として間接光による演出効果等が低下してしまうことがあった。
【０００５】
このように、従来技術には、例えば、間接光による演出効果や装飾性、放熱性の向上といった付加価値の高い照明装置を提供するという点でさらなる改善の余地があった。
【０００６】
本発明が解決しようとする課題は、付加価値の高い照明装置を提供することである。
【課題を解決するための手段】
【０００７】
実施形態に係る照明装置は、プロジェクタと、筐体と、本体部と、発光部とを具備する。プロジェクタは、映像を投映する。筐体は、プロジェクタを収容する。本体部は、筐体が取り付けられる取付面と対向する対向面を有する。発光部は、本体部の外縁部側に設けられ、筐体および取付面と離間して配置される。
【発明の効果】
【０００８】
本発明によれば、付加価値の高い照明装置を提供することができる。
【図面の簡単な説明】
【０００９】
【図１】図１は、第１の実施形態に係る照明装置の概要を示す図である。
【図２】図２は、第１の実施形態に係る照明装置における映像取得の一例について説明する図である。
【図３】図３は、第１の実施形態に係る照明装置の側面図である。
【図４】図４は、第１の実施形態に係る照明装置の上面図である。
【図５】図５は、第１の実施形態に係る照明装置の断面図である。
【図６】図６は、第１の実施形態に係るレンズ部や遮光部を説明するための図である。
【図７】図７は、第１の実施形態に係るプロジェクタから出力された映像と拡散映像との対応関係などを説明するための図である。
【図８】図８は、第２の実施形態に係る照明装置の概要を示す図である。
【図９】図９は、第３の実施形態に係る照明装置の概要を示す図である。
【図１０】図１０は、第４の実施形態に係る照明装置の概要を示す図である。
【図１１】図１１は、第５の実施形態に係る照明装置の概要を示す図である。
【図１２】図１２は、第６の実施形態に係る照明装置が有する発光部の配置を説明するための図である。
【図１３】図１３は、第７の実施形態に係る照明装置が有する発光部の配置を説明するための図である。
【図１４】図１４は、第８〜第１０の実施形態に係る照明装置が有する筐体の断面図である。
【発明を実施するための形態】
【００１０】
以下に説明する実施形態に係る照明装置１は、プロジェクタ７０と、筐体２０と、本体部３０と、発光部４０とを具備する。プロジェクタ７０は、映像を投映する。筐体２０は、プロジェクタ７０を収容する。本体部３０は、筐体２０が取り付けられる取付面９１と対向する対向面３０ｂを有する。発光部４０は、本体部３０の外縁部３３側に設けられ、筐体２０および取付面９１と離間して配置される。
【００１１】
また、以下に説明する実施形態に係る筐体２０は、本体部３０に接続される前面部２１の外縁の直径ｂが、対向面３０ｂと取付面９１との間に位置する側面部２２の取付面９１と交差する方向の長さｃよりも小さい。
【００１２】
また、以下に説明する実施形態に係る発光部４０は、本体部３０の対向面３０ｂ側に設けられ、対向面３０ｂと取付面９１との間を照明する間接光源５０を含む。筐体２０は、対向面３０ｂと取付面９１との間に位置する側面部２２の少なくとも一部に形成され、間接光源５０から離間するにつれて側面視で外側に傾斜するテーパ部２２ｂを具備する。
【００１３】
また、以下に説明する実施形態に係る発光部４０は、本体部３０の対向面３０ｂ側に設けられ、対向面３０ｂと取付面９１との間を照明する間接光源５０を含む。筐体２０は、対向面３０ｂと取付面９１との間に位置する側面部２２の少なくとも一部に形成され、間接光源５０から離間するにつれて側面視で内側に傾斜する逆テーパ部２２ｂａを具備する。
【００１４】
また、以下に説明する実施形態に係る間接光源５０は、発光面５０ａが本体部３０の外縁側から中心側へ向くようにして設けられる。
【００１５】
また、以下に説明する実施形態に係る間接光源５０は、発光面５０ａが本体部３０の対向面３０ｂ側から取付面９１側へ向くようにして設けられる。
【００１６】
また、以下に説明する実施形態に係る照明装置１は、間接光源５０が設けられる本体部３０より側面視で外側に配置され、間接光源５０からの光を透光する透光部（例えば化粧枠部６５）を具備する。
【００１７】
また、以下に説明する実施形態に係る照明装置１は、プロジェクタ７０を映像の出力側から覆うように設けられ、映像が投影されるカバー部６０を具備し、透光部６５は、前記カバー部６０の外縁側に配置される。
【００１８】
また、以下に説明する実施形態に係る透光部６５は、カバー部６０から取付面９１へ向けて延在するように形成される。
【００１９】
また、以下に説明する実施形態に係る透光部６５は、カバー部６０から取付面９１へ向けて延在しつつ側面視で外側に傾斜するように形成される。
【００２０】
また、以下に説明する実施形態に係る透光部６５は、側面視で外側に突出するように湾曲して形成される。
【００２１】
以下、図面を参照して、実施形態に係る照明装置について説明する。実施形態において同一の部位には同一の符号を付し、重複する説明は省略する場合がある。
【００２２】
［第１の実施形態］
まず、図１を用いて第１の実施形態に係る照明装置の概要について説明する。図１は、第１の実施形態に係る照明装置の概要を示す図である。図１に示す照明装置１は、天井９０に取り付けられるいわゆるシーリングライトである。
【００２３】
また、第１の実施形態に係る照明装置１は、照明装置１本体を覆うカバー部６０に映像を投映することが可能な照明装置である。より具体的には、照明装置１は、後述するように、映像を投映するプロジェクタを有し、プロジェクタから出力された映像がカバー部６０の内面に投影される。すなわち、実施形態に係る照明装置１において、カバー部６０はスクリーンとしても機能する。
【００２４】
これにより、ユーザは、寝転んだ姿勢で照明装置１に投影された映像を視認することが可能となる。例えば、照明装置１を病床に導入する場合、患者はベッドに寝転んだ姿勢で、照明装置１に投影された映像を視認することが可能となる。
【００２５】
このように、第１の実施形態に係る照明装置１では、室内を照明する照明機能に加え、映像を投影する投影機能を有する。したがって、第１の実施形態に係る照明装置１によれば、付加価値の高い照明装置を提供することが可能となる。また、第１の実施形態に係る照明装置１では、映像を投影するための壁やスクリーンが不要となるので、設置位置の制約を少なくすることが可能となり、使用範囲や用途の限定を抑制することが可能となる。
【００２６】
また、例えば、照明装置１は、本体部と天井９０との間を照明する間接照明の機能も有するが、これについは後述する。
【００２７】
次に、図２を用いて照明装置１が投影する映像の取得例について説明する。図２は、第１の実施形態に係る照明装置における映像取得の一例について説明する図である。図２に示すように、照明装置１は、アンテナ１０１を介して外部機器Ｔからカバー部６０に投影する映像を取得することが可能である。
【００２８】
アンテナ１０１は、例えば、Ｗｉｆｉ（登録商標）やＢｌｕｅｔｏｏｔｈ（登録商標）などの通信規格に従って無線通信を行うインターフェースである。例えば、外部機器Ｔのユーザが、表示部１０２に表示された画像に対し、スワイプ操作などの所定の操作を実行すると、外部機器Ｔは、画像データを含む制御信号を出力する。外部機器Ｔから出力された制御信号をアンテナ１０１が受信すると、照明装置１は、受信した制御信号に基づき、プロジェクタから画像データに対応する映像を出力し、カバー部６０に投影させる。
【００２９】
このように、照明装置１は、外部機器Ｔから映像を取得することで、多様な映像を出力することが可能である。なお、照明装置１をインターネットなどの外部ネットワークに接続し、外部ネットワークを介して映像を取得することにしてもよい。すなわち、例えば、ユーザが外部機器Ｔで購入した動画などのコンテンツを照明装置１が外部ネットワークを介して直接取得することにしてもよい。
【００３０】
なお、アンテナ１０１は、照明装置１の内部に設置されることにしてもよいし、照明装置１は、有線ケーブルで外部機器Ｔや外部ネットワークと接続されることにしてもよい。
【００３１】
続いて、図３および図４を用いて第１の実施形態に係る照明装置１の構成例について説明する。図３は、第１の実施形態に係る照明装置１の側面図であり、図４は、照明装置１の上面図である。なお、図４では、理解の便宜のため、照明装置１が取り付けられる天井９０の図示を省略している。
【００３２】
また、説明を分かりやすくするために、図３等には、鉛直上向きを正方向とし、鉛直下向きを負方向とするＺ軸を含む３次元の直交座標系を図示する場合がある。また、以下の説明において、ある部材を基準として天井９０から離れたＺ軸負方向側を「前面側」、天井９０に近いＺ軸正方向側を「背面側」と称する場合がある。
【００３３】
図３および図４に示すように、照明装置１は、取付部１０と、筐体２０と、本体部３０と、発光部４０（図４および後述する図５参照）と、カバー部６０（図３参照）と、化粧枠部６５と、プロジェクタ７０（図５参照）と、レンズ部７５（図５参照）と、遮光部８０（図５参照）と、第１電源部１００（図５参照）と、第２電源部１１０（図５参照）とを具備する。
【００３４】
取付部１０は、図示しない引っ掛けシーリングに照明装置１を固定するためのアダプタである。例えば、照明装置１は、取付部１０を介して引っ掛けシーリングから供給される電力によって動作する。
【００３５】
例えば、引っ掛けシーリングから供給される電力によって、発光部４０およびプロジェクタ７０を動作させることが可能である。つまり、プロジェクタ７０を動作させるための電源を別途必要としないので、照明装置１の取り付けを簡略化することができる。なお、プロジェクタ７０を動作させるための電力源を引っ掛けシーリングとは別にすることにしてもよい。
【００３６】
筐体２０は、例えば、樹脂材料や金属材料から構成されるとともに、略逆円錐形状に形成され、内部に各種機器を収容する。かかる筐体２０等について、図５を参照しつつ説明する。図５は、第１の実施形態に係る照明装置１の断面図である。図５では、図４におけるＡ−Ａ線で切断した場合の断面を示す。
【００３７】
図５に示すように、筐体２０は、前面部２１と、側面部２２と、背面部２３とを具備する。前面部２１は、例えば平板状に形成される。側面部２２は、前面部２１の外縁から連続するとともに、上方へ向けて延在するように形成される。背面部２３は、側面部２２の上端から連続するとともに、照明装置１の中心側へ向けて延在するように形成される。
【００３８】
筐体２０は、上記した前面部２１、側面部２２および背面部２３によって内部に空間Ｓが形成され、かかる空間Ｓにプロジェクタ７０および後述する第２電源部１１０が収容される。以下、空間Ｓを「収容空間Ｓ」と記載する場合がある。
【００３９】
第２電源部１１０は、取付部１０を介して商用交流電源に接続されており、この商用交流電源を受けて直流出力を生成する。第２電源部１１０は、直流出力をプロジェクタ７０に供給し、プロジェクタ７０の動作を制御可能に構成される。
【００４０】
なお、図示は省略するが、筐体２０には、例えばプロジェクタ７０から排出される熱や第２電源部１１０で発生する熱を筐体２０外へ排出する放熱用のファンなどが収容されてもよい。また、図３および図４に示すように、筐体２０には、放熱用のスリット２５ａ，２５ｂが形成される。図３，４の例では、スリット２５ａは、筐体２０の側面部２２に形成され、スリット２５ｂは背面部２３に形成される。なお、スリット２５ａ，２５ｂの数や位置は、あくまでも例示であって限定されるものではなく、任意に設定することができる。
【００４１】
図５の説明に戻ると、背面部２３には、上記した取付部１０が設けられる。従って、筐体２０は、取付部１０を介して、天井９０の取付面９１に取り付けられることとなる。
【００４２】
側面部２２は、円筒部２２ａと、テーパ部２２ｂとを有する。円筒部２２ａは、下端が前面部２１の外縁に連続する一方、上端がテーパ部２２ｂの下端に連続する、略円筒状の部位である。
【００４３】
テーパ部２２ｂは、下端が円筒部２２ａの上端に連続する一方、上端が背面部２３の外縁に連続する部位である。テーパ部２２ｂは、上端へいくにつれて側面視で外側に傾斜するように形成される。テーパ部２２ｂは、かかる形状に形成されることで、発光部４０からの光を反射させるが、これについては後述する。
【００４４】
前面部２１において、例えば中心付近には、開口が形成され、かかる開口に、プロジェクタ７０に接続されたレンズ部７５が挿通される。なお、上記では、前面部２１の開口にレンズ部７５が挿通されるようにしたが、これに限定されるものではなく、例えばプロジェクタ７０の一部が挿通されてもよく、要は、筐体２０に収容されたプロジェクタ７０からの映像がカバー部６０側へ出力される構成であればよい。
【００４５】
筐体２０の前面部２１には、後述する本体部３０が接続される。なお、筐体２０と本体部３０とは、別体に形成されるが、一体に形成されてもよい。
【００４６】
本体部３０は、例えば熱伝導性が比較的高い材料（金属材料など）から構成され、円盤状に形成されるシャーシである。例えば、本体部３０は、前面３０ａと、対向面３０ｂとを有する。前面３０ａは、本体部３０においてカバー部６０側の面である。対向面+３０ｂは、前面３０ａとは反対側の背面であり、また、天井９０の取付面９１と対向する面である。
【００４７】
本体部３０の前面３０ａ側には、後述する照明用光源４１が設けられる一方、対向面３０ｂ側には、後述する間接光源５０および第１電源部１００が設けられる。従って、照明用光源４１や間接光源５０の発光により、あるいは第１電源部１００で発生した熱は、本体部３０を介して放熱される。
【００４８】
第１電源部１００は、取付部１０を介して商用交流電源に接続されており、この商用交流電源を受けて直流出力を生成する。第１電源部１００は、直流出力を発光部４０に供給し、照明用光源４１および間接光源５０をそれぞれ独立して点灯制御または調光制御するように構成される。
【００４９】
本体部３０についてさらに詳しく説明すると、本体部３０は、平坦部３１と、凹部３２と、外縁部３３とを具備する。
【００５０】
平坦部３１は、照明装置１の中心付近に位置され、例えば平板状でＸＹ平面に沿って延在するように形成される。なお、平坦部３１は、図４に示すように、平面視で矩形状に形成されるが、これに限られず、例えば平面視で円形状などその他の形状であってもよい。
【００５１】
図５に示すように、平坦部３１において、例えば中心付近には、開口３１ａが形成される。平坦部３１の開口３１ａには、例えばレンズ部７５が挿通される。また、平坦部３１の開口３１ａまたは開口３１ａ付近には、遮光部８０が取り付けられるが、これについては後述する。
【００５２】
凹部３２は、平坦部３１の外縁側に連続するように設けられ、側面視で平坦部３１から下方へ向けて突出するように凹んだ部位である。例えば、凹部３２は、第１壁面３２ａと、底面３２ｂと、第２壁面３２ｃとを有する。
【００５３】
第１壁面３２ａは、平坦部３１の外縁から連続するとともに、下方へ延在するように形成される。底面３２ｂは、第１壁面３２ａから連続するとともに、ＸＹ平面に沿って外方へ延在するように形成される。第２壁面３２ｃは、底面３２ｂの外縁から連続するとともに、上方へ延在するように形成される。
【００５４】
また、第１壁面３２ａの平面視における形状は、第１壁面３２ａが平坦部３１から連続することから、図４に示すように、平坦部３１の形状に対応する形状、すなわち、矩形状とされる。また、第２壁面３２ｃの平面視における形状は、例えば円形状とされる。
【００５５】
外縁部３３は、凹部３２の外縁側に連続するように設けられ、本体部３０の外縁を形成する部位である。外縁部３３の平面視における形状は、図４に示すように、例えば円形状とされる。
【００５６】
上記のように形成された本体部３０には、発光部４０が設けられる。発光部４０は、照明用光源４１と、間接光源５０とを有する。なお、照明用光源４１は、光源の一例である。
【００５７】
照明用光源４１は、本体部３０の前面３０ａ側、例えば凹部３２の前面側に設けられるとともに、開口３１ａを挟んで向かい合うように開口３１ａの外側に配置される。
【００５８】
照明用光源４１は、基板４２と、第１発光素子４３ａと、第２発光素子４３ｂと、第３発光素子４３ｃとを有する。第１発光素子４３ａは、第１発光素子４３ａ〜第３発光素子４３ｃのうち、最も外側に配置される。第２発光素子４３ｂは、第１発光素子４３ａを挟んで第３発光素子４３ｃと向かい合うように第１発光素子４３ａの内側（中心側）に配置される。第３発光素子４３ｃは、第２発光素子４３ｂと開口３１ａとの間に配置され、第１発光素子４３ａ〜第３発光素子４３ｃのうち、最も内側（中心側）に配置される。
【００５９】
基板４２は、ＳＭＤ（Surface  Mount  Device）形で構成され、実装面に第１発光素子４３ａ〜第３発光素子４３ｃがそれぞれ実装される。なお、基板４２は、ＳＭＤ形に限られず、ＣＯＢ（Chip  on  Board）形などであってもよい。また、基板４２は、所定の幅寸法を有した略円弧状の基板が複数枚（例えば４枚）繋ぎ合わされるように配設されて全体として略サークル状に形成される。つまり、全体として略サークル状に形成された基板４２は、複数枚に分割された基板から構成されており、図５では、そのうちの一部を図示している。
【００６０】
また、第１発光素子４３ａ〜第３発光素子４３ｃはそれぞれ、例えば、略サークル状の列となるように配置されている。
【００６１】
例えば、第１発光素子４３ａおよび第３発光素子４３ｃはそれぞれ、白色光源であり、複数の白色光源が基板４２の周方向または長さ方向に沿うように配列されて、白色光源列を構成する。なお、第１発光素子４３ａである白色光源と第３発光素子４３ｃである白色光源とは、色温度が同じであってもよく、互いに異なっていてもよい。また、白色光源は、電球色や昼白色の光を出射するものであってもよく、温白色、白色、昼光色等の光を出射するものであってもよい。
【００６２】
例えば、第２発光素子４３ｂは、原色光源であり、複数の原色光源が基板４２の周方向または長さ方向に沿うように配列されて、原色光源列を構成する。かかる原色光源列には、発光色が異なる複数の原色光源が相互に配列されてもよい。具体的には、原色光源列は、赤色、緑色および青色の３種類の光をそれぞれ出射する原色光源を有し、調光および調色制御に応じて合成された光を出射する。なお、原色光源列は、２種類以下または４種類以上の原色光源を有することにしてもよい。
【００６３】
上記した第１発光素子４３ａ〜第３発光素子４３ｃは、例えばＬＥＤである。照明装置１は、原色光源である第２発光素子４３ｂおよび白色光源である第１発光素子４３ａおよび第３発光素子４３ｃの調光をそれぞれ独立に制御することが可能である。これにより、照明用光源４１については、発光色ごとの調光比を調整して発光色ごとの光出力を可変にすることが可能である。
【００６４】
なお、第１発光素子４３ａ〜第３発光素子４３ｃは、同時に発光してもよく、一部の発光素子のみが発光してもよい。また、上記では、基板４２や第１発光素子４３ａ〜第３発光素子４３ｃの形状や数、配置などを具体的に説明したが、これはあくまでも例示であって限定されるものではない。
【００６５】
上記のように構成された照明用光源４１は、第１発光素子４３ａ〜第３発光素子４３ｃの発光により発光面４１ａから光が出射され、照明装置１が取り付けられた室内を照明する。また、照明用光源４１は、プロジェクタ７０から映像がカバー部６０に投影されたときに発光することができるが、これについては後述する。
【００６６】
間接光源５０は、本体部３０の対向面３０ｂ側に設けられる。例えば、間接光源５０は、本体部３０の凹部３２の背面側、詳しくは凹部３２の第２壁面３２ｃに複数設けられる。なお、間接光源５０が設けられた凹部３２には、透光性を有するカバー部が凹部３２を覆うようにして配置されてもよい。
【００６７】
間接光源５０は、基板５１と、第４発光素子５２とを有する。基板５１は、例えばＳＭＤ形やＣＯＢ形で構成されるが、これに限られず、ＦＰＣ（Flexible  Printed  Circuit）などであってもよい。第４発光素子５２は、基板５１の実装面に実装される。第４発光素子５２は、例えば原色光源であるが、これに限定されるものではなく、白色光源であってもよい。
【００６８】
上記のように構成される間接光源５０は、図４に示すように、本体部３０の凹部３２の第２壁面３２ｃに複数取り付けられる。ここで、凹部３２の第２壁面３２ｃは、上記したように、平面視で円形状であることから、間接光源５０は、略サークル状に並んで配置された原色光源列となる。また、間接光源５０は、発光面５０ａが本体部３０の外縁側から中心側へ向くようにして設けられる。
【００６９】
上記した間接光源５０は、第４発光素子５２の発光により発光面５０ａから光が出射され、対向面３０ｂと天井９０の取付面９１との間を照明する。
【００７０】
ここで、間接光源５０から出射された光である「間接光」について、図５を参照しつつ説明する。本実施形態において、間接光は、間接光源５０から対向面３０ｂと取付面９１との間の空間へ向けて出射された後、上記した筐体２０のテーパ部２２ｂなどに当たって反射する。
【００７１】
具体的に説明すると、筐体２０は、間接光源５０が設けられる本体部３０の対向面３０ｂと、天井９０の取付面９１との間に配置される。従って、筐体２０の側面部２２も、本体部３０の対向面３０ｂと取付面９１との間に位置される。そして、側面部２２のテーパ部２２ｂは、上記したように、上端へいくにつれて側面視で外側に傾斜するように形成される、言い換えると、間接光源５０から離間するにつれて側面視で外側に傾斜するように形成される。別言すれば、テーパ部２２ｂは、表面（外面）が、下方に位置する間接光源５０へ向くように傾斜している。
【００７２】
これにより、間接光源５０から出射された光は、図５に矢印Ａ１で示すように、対向面３０ｂと取付面９１との間の空間を通過した後に、テーパ部２２ｂに反射して当該空間へ戻ることとなる。
【００７３】
このように、本実施形態にあっては、間接光源５０の間接光が筐体２０のテーパ部２２ｂに反射することから、照明装置１の背面側、詳しくは、本体部３０の対向面３０ｂと取付面９１との間の空間を、反射しない場合に比べて明るくすることができる。これにより、照明装置１において、間接光による演出効果や装飾性を向上させることができる。
【００７４】
なお、テーパ部２２ｂの傾斜角度は、任意の値に設定可能である。例えば、テーパ部２２ｂの傾斜角度は、間接光源５０からの間接光が対向面３０ｂと取付面９１との間の空間へ効率良く反射するような値に設定されてもよく、また、間接光が後述する化粧枠部６５へ向けて効率良く反射するような値に設定されてもよい。
【００７５】
また、筐体２０の色、具体的には筐体２０のテーパ部２２ｂの色は、任意の色に設定可能であるが、例えば、間接光を反射させるため、光の反射率が比較的高い色（例えば白色など）とされてもよいし、デザイン性などの観点からその他の色であってもよい。
【００７６】
また、本実施形態に係る間接光源５０は、上記したように、発光面５０ａが本体部３０の外縁側から中心側へ向くようにして設けられる、言い換えると、筐体２０のテーパ部２２ｂが位置する中心側へ向くようにして設けられる。これにより、本実施形態にあっては、間接光源５０の間接光をテーパ部２２ｂでより反射させ易くでき、よって本体部３０の対向面３０ｂと取付面９１との間の空間を効果的に明るくすることができる。これにより、照明装置１において、間接光による演出効果や装飾性をより向上させることができる。
【００７７】
また、筐体２０にあっては、上記したテーパ部２２ｂが形成されることで、筐体２０内の放熱性を向上させることができる。すなわち、テーパ部２２ｂは、上端へいくにつれて側面視で外側に傾斜するように形成されるため、筐体２０の収容空間Ｓは、上方へいくにつれて側面視で拡幅する形状となる。
【００７８】
そのため、本実施形態にあっては、例えば、筐体２０に収容されるプロジェクタ７０から排出された熱を、図５に矢印Ｂで示すように、テーパ部２２ｂによって拡幅された収容空間Ｓの上方へ向けて拡散させつつ、背面部２３のスリット２５ｂ（図４参照）などから放熱させることができる。このように、本実施形態においては、テーパ部２２ｂを設けて筐体２０内の熱が拡散されて排出され易い形状とすることで、テーパ部２２ｂが筐体２０に形成されない場合に比べて、筐体２０内の放熱性を向上させることができる。
【００７９】
また、本実施形態にあっては、例えば、プロジェクタ７０が音声を出力するスピーカなど（図示せず）を有する場合、スピーカから出力された音声をユーザへ効率よく伝達させることができる。すなわち、本実施形態に係る筐体２０にあっては、傾斜するテーパ部２２ｂが形成されることで、スピーカから出力された音声をテーパ部２２ｂに当てて反響させることが可能となり、よって音声をユーザへ効率よく伝達させることができる。
【００８０】
カバー部６０は、例えば透光性を有するとともに、乳白色の樹脂から構成される、いわゆるセードである。カバー部６０は、内面６０ａ側が本体部３０の前面３０ａに対向するように位置され、本体部３０や照明用光源４１を前面側、すなわち照明用光源４１の出射面側から覆うように設けられる。また、本体部３０の中心付近には、プロジェクタ７０に接続されたレンズ部７５が配置されることから、カバー部６０は、レンズ部７５を出射面側から覆うように設けられる、ともいえる。
【００８１】
カバー部６０は、例えば平面視で円形状に形成される。また、カバー部６０の外面６０ｂは、照明装置１の前面側を構成し、かかる外面６０ｂは、下方へ向けてなだらかに突出する湾曲状、言い換えるとドーム状に形成される。なお、カバー部６０は、照明用光源４１から出力された光を拡散させることで、照明する範囲を拡張し、均斉度を向上させることができる。また、このようなカバー部６０を採用することで、ＬＥＤ等、直進性が強い光を出力する発光素子が採用された場合に、照明に用いる光のつぶつぶ感を軽減することができる。なお、上記のように構成されるカバー部６０には、プロジェクタ７０から出力された映像が投影されるが、これについては後に詳しく説明する。
【００８２】
化粧枠部６５は、カバー部６０の外縁６０ｃ側であって、本体部３０より側面視で外側に配置される、環状の部材である。化粧枠部６５は、例えば透光性を有するとともに、半透明または透明な白色の樹脂から構成される。なお、化粧枠部６５は、透光部の一例である。
【００８３】
なお、化粧枠部６５は、カバー部６０と一体に形成されるが、カバー部６０とは別体に形成されてもよい。また、化粧枠部６５は、本体部３０とは別体に形成されるが、本体部３０と一体に形成されてもよい。また、上記では、化粧枠部６５やカバー部６０の色や材質を具体的に示したが、これはあくまでも例示であって限定されるものではない。
【００８４】
化粧枠部６５は、カバー部６０の外縁６０ｃ側であって、間接光源５０が設けられる本体部３０より外側に配置されることから、間接光源５０からの光を透光することができる。具体的には、例えば、化粧枠部６５は、間接光源５０から出射された間接光や、筐体２０のテーパ部２２ｂで反射された間接光が透光する（図５の矢印Ａ２参照）。
【００８５】
本実施形態に係る照明装置１にあっては、間接光源５０の間接光を化粧枠部６５に透光させることで、間接光に、照明装置１の外側に向けた広がりを持たせることが可能になり、結果として間接光による演出効果や装飾性をより一層向上させることができる。
【００８６】
また、環状に形成された化粧枠部６５は、側面視で外側の部分に外縁部６５ａを有する。例えば、外縁部６５ａは、カバー部６０から天井９０の取付面９１へ向けて延在するように形成される、言い換えると、上方へ向けて延びるように形成される。
【００８７】
詳しくは、化粧枠部６５の外縁部６５ａは、カバー部６０から取付面９１へ向けて延在しつつ側面視で外側に傾斜するように形成される。また、外縁部６５ａは、側面視で外側に突出するように湾曲して形成される。
【００８８】
化粧枠部６５は、上記のように形成されることで、間接光源５０から出射された間接光や、テーパ部２２ｂで反射された間接光を効率良く受けて透光することが可能になる。これにより、化粧枠部６５が明るくなって、間接光に広がりをより持たせることができ、照明装置１の間接光による演出効果などをより一層向上させることができる。
【００８９】
なお、外縁部６５ａを含め化粧枠部６５の形状は、上記に限定されるものではなく、例えば、外縁部６５ａが湾曲しないテーパ状などその他の形状であってもよい。
【００９０】
また、上記したように、本実施形態にあっては、照明用光源４１や間接光源５０、すなわち発光部４０は、平面視で筐体２０と向かい合う本体部３０の中央部分よりも外縁部３３側に設けられていることから、発光部４０は筐体２０および取付面９１と離間して配置されることとなる。このため、本実施形態に係る照明装置１にあっては、発光部４０の放熱性能と、間接光源５０による取付面９１の明るさの確保とを両立させることが可能となる。
【００９１】
ここで、筐体２０は、前面部２１の外縁の直径ｂが、側面部２２の取付面９１と交差するＺ軸方向の長さｃよりも小さくすることができる。具体的には、カバー部６０と向かい合う化粧枠部６５の直径をａと規定したとき、ｂ／ａ≧０．２、ｃ／ａ≦０．２とすることができる。このように直径ｂおよび長さｃをそれぞれ規定することにより、筐体２０の外側および間接光源５０と取付面９１との間に放熱および間接光の拡散に適した空間が形成され、発光部４０の放熱性がさらに向上するとともに、取付面９１の明るさが確保される。一例として、直径ａ＝５０７［ｍｍ］、直径ｂ＝８５［ｍｍ］、長さｃ＝１４２［ｍｍ］の照明装置１を挙げることができるが、かかる値に制限されないことは言うまでもない。
【００９２】
次に、プロジェクタ７０、レンズ部７５および遮光部８０について詳説する。プロジェクタ７０は、映像を出力して内面６０ａ側（背面側）からカバー部６０に投影する。なお、プロジェクタ７０は、例えば映像に連動した音声を出力するスピーカなどを具備していてもよい。
【００９３】
レンズ部７５は、プロジェクタ７０の映像光路に設けられ、プロジェクタ７０から出力された映像を拡散して出射する。例えば、レンズ部７５は、本体部３０の平坦部３１に形成された開口３１ａに挿通され、出射面７５ａがカバー部６０の内面６０ａを向くようにして配置される。レンズ部７５としては、魚眼レンズを用いることができるが、これに限られず、例えば広角レンズなどその他の種類のレンズを用いてもよい。
【００９４】
また、レンズ部７５は、プロジェクタ７０に直接取り付けられてもよいし、例えば本体部３０に取り付けられてもよく、要はプロジェクタ７０の映像光路に設けられていればよい。なお、レンズ部７５の出射面７５ａからカバー部６０の内面６０ａまでの距離は、例えば、映像が投影されるカバー部６０の大きさ、プロジェクタ７０やレンズ部７５の焦点距離などに基づいて任意の値に設定することができる。
【００９５】
遮光部８０は、レンズ部７５付近に配置され、レンズ部７５から出射された映像の一部を遮光する。これにより、カバー部６０には、遮光部８０によって遮光された映像が投影され、よってプロジェクタ７０から出力された映像をカバー部６０に適切に投影することができる。これについて、図６を参照して説明する。
【００９６】
図６は、第１の実施形態に係るレンズ部７５や遮光部８０を説明するための図である。なお、図６は、遮光部８０付近を拡大した側断面図である。また、図６では、図示の簡略化のため、カバー部６０を二点鎖線で示している。
【００９７】
上記したように、レンズ部７５は、プロジェクタ７０から出力された映像を拡散して出射する。図６では、レンズ部７５によって拡散されて出射された映像（以下「拡散映像」と記載する場合がある）を一点鎖線で示し、拡散映像が仮にそのままカバー部６０に投影された場合に、拡散映像がカバー部６０に表示される表示領域を符号Ｒ１で示している。
【００９８】
ここで、プロジェクタ７０から出力された映像について図７を参照しつつ説明する。図７は、プロジェクタ７０から出力された映像と拡散映像との対応関係などを説明するための図である。なお、図７では、プロジェクタ７０から出力された映像を符号２００で示し、理解の便宜のため、かかる映像２００に、拡散映像としてカバー部６０に表示される表示領域Ｒ１を対応させて図示している。
【００９９】
図７に示すように、プロジェクタ７０から出力された映像２００は、例えば１６：９や４：３など横長の映像の場合がある。かかる場合に、プロジェクタ７０からの映像２００がレンズ部７５を通過してカバー部６０に投影されると、レンズ部７５の位置や性能によっては、カバー部６０の表示領域Ｒ１において、横長の映像２００の縦方向の端部付近が切れた映像が投影されることがあった。言い換えると、カバー部６０の表示領域Ｒ１において、外周の一部が暗くなった映像が投影されることがあった。なお、図７においては、映像２００の縦方向の端部付近が切れて暗くなる部分を、二点鎖線の閉曲線Ｃで囲んで示している。
【０１００】
そこで、本実施形態にあっては、図６に示すように、遮光部８０を用いて拡散映像の一部を遮光するようにした。例えば、遮光部８０は、拡散映像の外周側（詳しくは映像２００の端部が切れて暗くなった外周側）を遮光する。従って、カバー部６０には、遮光部８０によって遮光された映像が投影されることとなる。
【０１０１】
なお、図６では、遮光部８０によって遮光された映像（以下「遮光映像」と記載する場合がある）を破線で示し、遮光映像がカバー部６０に投影されたときに、遮光映像がカバー部６０に表示される表示領域を符号Ｒ２で示している。同様に、図７では、表示領域Ｒ２を映像２００に対応させて図示している。
【０１０２】
図７に示すように、本実施形態にあっては、遮光部８０を用いて、例えば外周側が切れて暗くなった拡散映像を部分的に遮光することから、遮光映像においては外周側が暗くならず、よってプロジェクタ７０から出力された映像をカバー部６０に適切に投影することができる。
【０１０３】
以下、遮光部８０について、図６を参照してさらに詳しく説明する。遮光部８０は、遮光性を有する樹脂材料や金属材料から構成される。なお、遮光部８０は、拡散映像の一部を遮光できればよいため、全体が遮光性を有する必要はなく、全体のうち少なくとも一部（例えば拡散映像の外周側が当たる部位８０ｂ）が遮光性を有する構成であってもよい。
【０１０４】
遮光部８０は、例えば、開口８０ａを有する円筒状に形成され、その内部にレンズ部７５が配置される。そして、開口８０ａは、レンズ部７５から出射された映像（すなわち拡散映像）が通過する。
【０１０５】
ここで、遮光部８０の形状である円筒状は、カバー部６０の形状に対応した形状である。すなわち、カバー部６０は平面視で円形状に形成されることから、遮光部８０は、カバー部６０の形状に対応する円筒状に形成される。
【０１０６】
これにより、平面視で円形状のカバー部６０に対し、遮光部８０によって外形が円形状に遮光された遮光映像が投影されることとなる。このように、カバー部６０の形状と、遮光部８０によって遮光された遮光映像の形状とを類似させることで、カバー部６０に投影された映像（遮光映像）のデザイン性や視認性を向上させることができる。
【０１０７】
なお、上記では、カバー部６０が円形状であるため、遮光部８０が円筒状に形成されるが、これに限定されるものではない。すなわち、例えば、カバー部６０が平面視で矩形状の場合は遮光部８０が角筒状に形成され、また、カバー部６０が平面視で楕円形状の場合は遮光部８０が楕円筒状に形成されるなど、遮光部８０は、カバー部６０の形状に対応する形状に形成されてもよい。これにより、カバー部６０の形状と遮光映像の形状とが類似して、カバー部６０に投影された映像のデザイン性等を向上させることができることは既に述べた通りである。
【０１０８】
また、遮光部８０は、開口８０ａが、レンズ部７５の出射面７５ａを含む平面（例えば出射面７５ａを含む水平面（ＸＹ平面））よりカバー部６０側に位置するように設けられる。具体的には、遮光部８０の開口８０ａは、レンズ部７５の出射面７５ａを含む平面より所定高さＨ１分、カバー部６０側（すなわち下方）に位置される。
【０１０９】
これにより、遮光部８０は、レンズ部７５の出射面７５ａから出射された拡散映像の一部を確実に遮光することができる。
【０１１０】
遮光部８０は、開口８０ａが、照明用光源４１の発光面４１ａを含む平面（例えば発光面４１ａを含む水平面（ＸＹ平面））よりレンズ部７５側に位置するように設けられる。具体的には、遮光部８０の開口８０ａは、照明用光源４１の発光面４１ａを含む平面より所定高さＨ２分、レンズ部７５側（すなわち上方）に位置される。
【０１１１】
これにより、例えば、照明用光源４１の発光面４１ａから光が出射されて、室内を照明するような場合に、発光面４１ａからの光が遮光部８０に当たって、照明用光源４１の光が不要に遮光してしまうことを抑制することができる。
【０１１２】
なお、上記では、遮光部８０は、開口８０ａが、照明用光源４１の発光面４１ａを含む平面よりレンズ部７５側に位置するように設けられるようにしたが、これに限定されるものではなく、開口８０ａが発光面４１ａを含む平面と同一平面上に位置するように設けられてもよい。
【０１１３】
ここで、照明用光源４１は、上記したように、プロジェクタ７０から映像がカバー部６０に投影されたときに発光してもよい。例えば、照明用光源４１は、カバー部６０に投影された映像の周囲を、映像に対応する色彩で照明するなどして、映像の演出効果を向上させることができる。
【０１１４】
また、プロジェクタ７０から映像がカバー部６０に投影されたとき、照明用光源４１は、カバー部６０のうち、遮光部８０よる遮光によって映像が投影されない部位Ｒ３を含む領域Ｒ４に向けて発光してもよい。
【０１１５】
これにより、遮光部８０の遮光による影響を低減させることができる。すなわち、遮光部８０によって遮光された遮光映像は、レンズ部７５で拡散された拡散映像に比べて、外形の大きさが小さくなるため、カバー部６０には、遮光によって映像が投影されずに暗くなる部位Ｒ３ができることがある。そこで、照明用光源４１にあっては、カバー部６０のうち部位Ｒ３を含むとともに、遮光映像が表示される表示領域Ｒ２よりも外側に位置する領域Ｒ４に向けて発光する。これにより、遮光部８０によって遮光されて暗くなった部位Ｒ３などを照明することができ、よって遮光部８０の遮光による影響を低減させることができる。
【０１１６】
［第２〜第５の実施形態］
図８〜図１１を用いて、第２〜第５の実施形態に係る照明装置１の概要について説明する。図８〜図１１は、第２〜第５の実施形態に係る照明装置１の概要を示す図である。図８〜図１１に示す照明装置１は、第１電源部１００および／または第２電源部１１０の配置が異なることを除き、第１の実施形態に係る照明装置１と同じ構成を有している。
【０１１７】
図８、図９に示す第１電源部１００Ａ、第１電源部１００Ｂは、平坦部３１の対向面３０ｂ側に設けられた第１電源部１００に代えて、平坦部３１の前面３０ａ側、外縁部３３の前面３３ａ側にそれぞれ設けられた点で第１の実施形態に係る照明装置１と相違する。
【０１１８】
また、図１０に示す第２電源部１１０Ａは、筐体２０の空間Ｓに収容された第２電源部１１０に代えて、平坦部３１の前面３０ａ側に設けられた点で第１の実施形態に係る照明装置１と相違する。
【０１１９】
また、図１１に示すように、第１電源部１００および第２電源部１１０の両方の機能を有する電源部１２０を配置してもよい。このように第１電源部１００および第２電源部１１０をまとめることにより、例えば複数の電源線や信号線をまとめてモジュール化することができる。図１１に示す電源部１２０の配置は一例であって、例えば、第１電源部１００Ａ、１００Ｂ、第２電源部１１０、１１０Ａと同様の箇所に配置させてもよい。
【０１２０】
また、上記した各実施形態にあっては、第１電源部１００、１００Ａ、１００Ｂは照明用光源４１および間接光源５０を制御するとして説明したが、照明用光源４１用、および間接光源５０用の電源部をそれぞれ個別に配置させてもよい。
【０１２１】
［第６、第７の実施形態］
次に、図１２、図１３を用いて、第６、第７の実施形態に係る照明装置１が有する発光部４０の配置について説明する。図１２、図１３は、第６、第７の実施形態に係る照明装置１が有する発光部４０の配置を説明するための図である。図１２、図１３に示す照明装置１は、間接光源５０が第２壁面３２ｃではなく底面３２ｂに配置されている点で第１の実施形態に係る照明装置１と相違する。これにより、間接光源５０は、本体部３０の対向面３０ｂ側から取付面９１側へ向くようにして設けられることとなる。このように配置された間接光源５０であっても、対向面３０ｂと取付面９１との間を照明することができる。かかる場合、照明用光源４１および間接光源５０の配置は、照明用光源４１が間接光源５０よりも中央寄りに配置されてもよく（図１２参照）、間接光源５０が照明用光源４１よりも中央寄りに配置されてもよい（図１３参照）。かかる場合、間接光源５０からの間接光をより広角に拡散させるために、第１壁面３２ａおよび／または第２壁面３２ｃを底面３２ｂに対して斜設させてもよい。
【０１２２】
［第８〜第１０の実施形態］
図１４は、第８〜第１０の実施形態に係る照明装置１が有する筐体２０の断面図である。図１４（ａ）に示すように、第８の実施形態に係る照明装置１が有する筐体２０は、側面部２２が円筒部２２ａを有さず、テーパ部２２ｂのみで構成されている点で第１の実施形態に係る照明装置１が有する筐体２０と相違する。また、図１４（ｂ）に示すように、第９の実施形態に係る照明装置１が有する筐体２０は、側面部２２がテーパ部２２ｂを有さず、円筒部２２ａのみで構成されている点で第１の実施形態に係る照明装置１が有する筐体２０と相違する。
【０１２３】
また、図１４（ｃ）に示すように、第１０の実施形態に係る照明装置１が有する筐体２０は、逆テーパ部２２ｂａを有する。逆テーパ部２２ｂａは、側面部２２が上端へいくにつれて側面視で内側に傾斜するように形成される。逆テーパ部２２ｂａは、かかる形状に形成されることで、発光部４０からの光を取付面９１側へ向けて反射させることができる。なお、筐体２０の側面部２２は、逆テーパ部２２ｂａの上端側または下端側に連続する円筒部２２ａを有してもよい。
【０１２４】
このように、実施形態に係る照明装置１は、プロジェクタ７０と、筐体２０と、本体部３０と、発光部４０とを具備する。プロジェクタ７０は、映像を投映する。筐体２０は、プロジェクタ７０を収容する。本体部３０は、筐体２０が取り付けられる取付面９１と対向する対向面３０ｂを有する。発光部４０は、本体部３０の外縁部３３側に設けられ、筐体２０および取付面９１と離間して配置される。これにより、付加価値の高い照明装置を提供することができる。
【０１２５】
また、実施形態に係る発光部４０は、本体部３０の対向面３０ｂ側に設けられ、対向面３０ｂと取付面９１との間を照明する間接光源５０を含む。筐体２０は、対向面３０ｂと取付面９１との間に位置する側面部２２の少なくとも一部に形成され、間接光源５０から離間するにつれて側面視で外側に傾斜するテーパ部２２ｂを具備する。これにより、間接光による演出効果や装飾性を向上させることができる。
【０１２６】
なお、上記した実施形態では、照明装置１のカバー部６０が平面視で円形状に形成されるようにしたが、これに限定されるものではなく、例えば平面視で矩形状や楕円形状などその他の形状であってもよい。
【０１２７】
また、上記では、遮光部８０は、カバー部６０の形状に対応する形状に形成されるようにしたが、これに限定されるものではなく、カバー部６０の形状に対して非対応の形状に形成されてもよい。
【０１２８】
また、上記では、筐体２０において、テーパ部２２ｂは、側面部２２のうち上方に形成されるようにしたが、これに限られず、側面部２２の下方に形成されてもよい。
【０１２９】
また、上記では、照明用光源４１において、第１発光素子４３ａおよび第３発光素子４３ｃが白色光源、第２発光素子４３ｂが原色光源としたが、これはあくまでも例示であって限定されるものではない。すなわち、例えば、第１発光素子４３ａが原色光源、第２発光素子４３ｂおよび第３発光素子４３ｃが白色光源であるなど、白色光源および原色光源の組み合わせは任意に設定することができる。
【０１３０】
また、上記では、間接光源５０は、本体部３０の凹部３２の第２壁面３２ｃまたは底面３２ｂに設けられるようにしたが、これに限定されるものではなく、例えば、凹部３２の第１壁面３２ａなどその他の場所に設けられてもよい。
【０１３１】
また、上記では、照明装置１が部屋の天井９０に取り付けられる場合について説明したが、照明装置１を部屋の側壁などその他の場所に取り付けることにしてもよい。
【０１３２】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【０１３３】
１  照明装置
２０  筐体
２２ｂ  テーパ部
３０  本体部
４０  発光部
４１  照明用光源
５０  間接光源
６０  カバー部
７０  プロジェクタ
７５  レンズ部
８０  遮光部
【図１】
2020057576.tif 000003
【図２】
2020057576.tif 000004
【図３】
2020057576.tif 000005
【図４】
2020057576.tif 000006
【図５】
2020057576.tif 000007
【図６】
2020057576.tif 000008
【図７】
2020057576.tif 000009
【図８】
2020057576.tif 000010
【図９】
2020057576.tif 000011
【図１０】
2020057576.tif 000012
【図１１】
2020057576.tif 000013
【図１２】
2020057576.tif 000014
【図１３】
2020057576.tif 000015
【図１４】
2020057576.tif 000016